(57)【要約】【課題】指輪を切断せずに容易に外すことができる指輪外し器具を提供する。【解決手段】指輪外し器具１０は、帯状シート部材よりなり、指Ｍ１の長さ方向に伸長され、かつ、指Ｍ１の周方向に間隔を開けて配置される複数の伸長部材１１，１２と、指Ｍ１の先端部分に配置され、複数の伸長部材１１，１２を連結する連結部材１３とを備えている。伸長部材１１，１２を指Ｍ１と指輪Ｍ２との間に挿入し、指輪Ｍ２の外側に折り返して、指Ｍ１の先端方向に引っ張ることにより指輪を外す。【選択図】図２
2020062115.tif 000002
【特許請求の範囲】
【請求項１】
指に嵌めた指輪を外すための指輪外し器具であって、
線状部材または帯状シート部材よりなり、前記指の長さ方向に伸長され、かつ、前記指の周方向に間隔を開けて配置される複数の伸長部材と、
前記指の先端部分に配置され、前記複数の伸長部材を一端部において連結する連結部材とを備え、
前記複数の伸長部材の他端部を前記指の先端側から前記指と前記指輪との間に挿入し、前記複数の伸長部材の他端部を前記指輪の外側に折り返して、前記指の先端方向に引っ張ることにより前記指輪を引き抜く
ことを特徴とする指輪外し器具。
【請求項２】
前記連結部材は、前記複数の伸長部材と同一部材で連続して形成されたことを特徴とする請求項１記載の指輪外し器具。
【請求項３】
前記連結部材は、前記指の先端部分に被せるキャップ状に形成されており、前記複数の伸長部材の一端部が配設されたことを特徴とする請求項１記載の指輪外し器具。
【請求項４】
前記複数の伸長部材の他端部側には、先端に向かい幅が狭くなるように傾斜された傾斜部が形成されたことを特徴とする請求項１から請求項３のいずれか１に記載の指輪外し器具。
【請求項５】
前記複数の伸長部材の他端部側を結合する結合部を備えたことを特徴とする請求項１から請求項４のいずれか１に記載の指輪外し器具。
【請求項６】
前記指の周方向に巻いて前記複数の伸長部材を前記指に固定する固定部材を備えたことを特徴とする請求項１から請求項５のいずれか１に記載の指輪外し器具。
【請求項７】
帯状シート部材よりなり、前記指の長さ方向に伸長され、かつ、前記複数の伸長部材と前記指との間に挿入される複数の内側部材を備えたことを特徴とする請求項１から請求項６のいずれか１に記載の指輪外し器具。
【発明の詳細な説明】
【技術分野】
【０００１】
本発明は、指から指輪を外すための指輪外し器具に関する。
【背景技術】
【０００２】
日常生活において、むくんだり、太ったりすることにより、指から指輪が外れなくなってしまうことがある。このような場合、例えば、石鹸やクリームを指につけて滑りを良くして外すことが一般に知られている。それでも外れない場合には、例えば、指輪を切断して外す場合もある。例えば、特許文献１には、指輪を切断する装置が記載されている。
【先行技術文献】
【特許文献】
【０００３】
【特許文献１】特開２０１７−８９０５２号公報
【発明の概要】
【発明が解決しようとする課題】
【０００４】
しかしながら、指輪切断装置を使用すると、大切な指輪を切断しなければならないという問題があった。そこで、指輪を切断することなく、容易に指輪を外すことができる器具の開発が望まれていた。
【０００５】
本発明は、このような問題に基づきなされたものであり、指輪を切断せずに容易に外すことができる指輪外し器具を提供することを目的とする。
【課題を解決するための手段】
【０００６】
本発明の指輪外し器具は、指に嵌めた指輪を外すためのものであって、線状部材または帯状シート部材よりなり、指の長さ方向に伸長され、かつ、指の周方向に間隔を開けて配置される複数の伸長部材と、指の先端部分に配置され、複数の伸長部材を一端部において連結する連結部材とを備え、複数の伸長部材の他端部を指の先端側から指と指輪との間に挿入し、複数の伸長部材の他端部を指輪の外側に折り返して、指の先端方向に引っ張ることにより指輪を引き抜くものである。
【発明の効果】
【０００７】
本発明によれば、指と指輪との間に複数の伸長部材を挿入し、指と指輪との接触面積を小さくしたので、指と指輪との摩擦を小さくすることができ、かつ、複数の伸長部材を指輪の外に折り返して指の先端方向に引っ張ることにより、容易に指輪を指の先端側に移動させて、指輪を切断せずに引き抜くことができる。
【０００８】
特に、連結部材を複数の伸長部材と同一部材で連続して形成するようにすれば、伸長部材を指と指輪との間に挿入し、指の根元側に引っ張ることにより、連結部材を指に接触させて容易に取り付けることができる。よって、簡単な構成で、簡単に用いることができる。
【０００９】
また、連結部材を指の先端部分に被せるキャップ状に形成し、複数の伸長部材を配設するようにすれば、連結部材を指に被せ、伸長部材を指と指輪との間に挿入して、指の根元側に引っ張ることにより、容易に取り付けることができる。よって、簡単な構成で、簡単に用いることができる。
【００１０】
更に、複数の伸長部材の他端部側に、先端に向かい幅が狭くなるように傾斜された傾斜部を形成するようにすれば、伸長部材を指と指輪との間に容易に挿入することができる。
【００１１】
加えて、複数の伸長部材の他端部側を結合する結合部を備えるようにすれば、複数の伸長部材の他端部側を結合し、結合した部分に指を引掛けて容易に引っ張ることができる。
【００１２】
更にまた、指の周方向に巻いて複数の伸長部材を指に固定する固定部材を備えるようにすれば、伸長部材を指に固定することができ、指への取り付け、及び、指輪の取り外しを容易に行うことができる。
【００１３】
加えてまた、複数の伸長部材と指との間に挿入される複数の内側部材を備えるようにすれば、伸長部材のすべりがよくなり、より容易に指輪を外すことができる。
【図面の簡単な説明】
【００１４】
【図１】本発明の第１の実施の形態に係る指輪外し器具の構成を表す図である。
【図２】図１に示した指輪外し器具１０の使い方を表す図である。
【図３】第１の実施の形態の変形例を表す図である。
【図４】本発明の第２の実施の形態に係る指輪外し器具の構成を表す図である。
【図５】第２の実施の形態の変形例を表す図である。
【図６】本発明の第３の実施の形態に係る指輪外し器具の構成を表す図である。
【図７】第３の実施の形態の変形例を表す図である。
【発明を実施するための形態】
【００１５】
以下、本発明の実施の形態について図面を参照して詳細に説明する。
【００１６】
（第１の実施の形態）
図１は、本発明の第１の実施の形態に係る指輪外し器具１０の構成を表すものである。図２は、指輪外し器具１０の用い方を表すものである。この指輪外し器具１０は、指Ｍ１に嵌めた指輪Ｍ２を外すためのものであり、帯状シート部材よりなり、指Ｍ１の長さ方向に伸長され、かつ、指Ｍ１の周方向に間隔を開けて配置される複数の伸長部材１１，１２と、指Ｍ１の先端部分に配置され、複数の伸長部材１１，１２を一端部において連結する連結部材１３とを備えている。なお、本実施の形態では、２つの伸長部材１１，１２を備える場合について示しているが、３つ以上の伸長部材を備えていてもよい。
【００１７】
連結部材１３は、例えば、帯状シート部材よりなり、一方の端部に伸長部材１１の一端部が連続して設けられ、他方の端部に伸長部材１２の一端部が連続して設けられている。すなわち、この指輪外し器具１０は、例えば、全体が帯状シート部材よりなり、一方の端部側が第１部材１１、他方の端部側が第２部材１２、それらの間が連結部材１３であり、連結部材１３は、各伸長部材１１，１２と同一部材で連続して一体として形成されている。なお、図１では、全体を一方向に伸ばした状態で示したが、連結部１３の中央部分で折り曲げられていてもよい。各伸長部材１１，１２及び連結部材１３は、長さ方向に強い引張強度を有することが好ましく、例えば、プラスチックなどの合成樹脂や、強化繊維などを含む複合材料により構成されることが好ましい。
【００１８】
各伸長部材１１，１２及び連結部材１３の幅は、例えば、３ｍｍ以上１５ｍｍ以下の範囲内であることが好ましい。３ｍｍよりも狭いと、指と指輪との接触面積を十分に小さくすることができず、指と指輪との摩擦を十分に小さくすることができなので、指輪Ｍ２を容易に外すことが難しくなるからである。また、１５ｍｍよりも広いと、第１部材１１及び第２部材１２が指Ｍ１の横側まで回り込んでしまい、挿入が難しくなると共に、引っ張ることも難しくなってしまうからである。
【００１９】
各伸長部材１１，１２及び連結部材１３の厚みは、例えば、０．１ｍｍ以上０．５ｍｍ以下の範囲内であることが好ましい。厚みが薄すぎると、十分な強度を得ることが難しく、引っ張って指輪Ｍ２を外すことが難しいからである。また、厚みが厚すぎると、指Ｍ１と指輪Ｍ２との間に挿入することが難しくなるからである。
【００２０】
各伸長部材１１，１２の他端部側には、先端に向かい幅が狭くなるように傾斜された傾斜部１１Ａ，１２Ａがそれぞれ形成されていることが好ましい。各伸長部材１１，１２を指Ｍ１と指輪Ｍ２との間に容易に挿入することができるようにするためである。また、各伸長部材１１，１２の他端部の先端部分には、例えば、他の部分よりも硬さが硬い挿入部１１Ｂ，１２Ｂが設けられていてもよい。先端部分が柔らかいと指Ｍ１と指輪Ｍ２との間に挿入しにくいからである。
【００２１】
更に、各伸長部材１１，１２の他端部側には、例えば、各伸長部材１１，１２の他端部側を結合する結合部１１Ｃ，１２Ｃが設けられていてもよい。各伸長部材１１，１２の他端部側を結合することにより、結合した部分に指を引掛けて容易に引っ張ることができるからである。結合部１１Ｃ，１２Ｃは、例えば、切り込みや、フック状の切欠き等の係止部により構成することができる。また、図示しないが、結合部を留め具や結束部材により構成し、各伸長部材１１，１２の他端部側をこれらにより結合するようにしてもよい。
【００２２】
この指輪外し器具１０は、例えば、次のようにして用いられる。まず、例えば、図２（Ａ）に示したように、指Ｍ１の一面側、例えば手のひら側において、指Ｍ１と指輪Ｍ２との間に伸長部材１１の他端部を指Ｍ１の先端側から挿入する。次いで、例えば、指Ｍ１の他面側、例えば手の甲側において、指Ｍ１と指輪Ｍ２との間に伸長部材１２の他端部を指Ｍ１の先端側から挿入する。続いて、例えば、伸長部材１１，１２を指Ｍ１の根元側に引っ張り、連結部材１３を指Ｍ１に接触させる。
【００２３】
次に、例えば、図２（Ｂ）に示したように、伸長部材１１，１２の他端部側を指輪Ｍ２の外側に折り返して、指Ｍ１の先端方向に引っ張る。その際、伸長部材１１，１２の他端部側に切欠きなどの結合部１１Ｃ，１２Ｃが設けられていている場合には、例えば、図２（Ｃ）に示したように、これらを組み合わせて結合し、結合した部分に指を引掛けて引っ張るようにしてもよい。これにより、例えば、図２（Ｄ）に示したように、伸長部材１１，１２の折り返し位置が指輪Ｍ２と共に指Ｍ１の先端側に徐々に移動し、指輪Ｍ２が指Ｍ１から引き抜かれる。
【００２４】
このように本実施の形態によれば、指Ｍ１と指輪Ｍ２との間に伸長部材１１，１２を挿入し、指Ｍ１と指輪Ｍ２との接触面積を小さくしたので、指Ｍ１と指輪Ｍ２との摩擦を小さくすることができ、かつ、伸長部材１１，１２を指輪Ｍ２の外に折り返して指Ｍ１の先端方向に引っ張ることにより、容易に指輪Ｍ２を指Ｍ１の先端側に移動させて、指輪Ｍ２を切断せずに引き抜くことができる。
【００２５】
特に、連結部材１３を伸長部材１１，１２と同一部材で連続して形成するようにすれば、伸長部材１１，１２を指Ｍ１と指輪Ｍ２との間に挿入し、指Ｍ１の根元側に引っ張ることにより、連結部材１３を指Ｍ１に接触させて容易に取り付けることができる。よって、簡単な構成で、簡単に用いることができる。
【００２６】
また、伸長部材１１，１２の他端部側に、先端に向かい幅が狭くなるように傾斜された傾斜部１１Ａ，１２Ａを形成するようにすれば、伸長部材１１，１２を指Ｍ１と指輪Ｍ２との間に容易に挿入することができる。
【００２７】
加えて、伸長部材１１，１２の他端部側を結合する結合部１１Ｃ，１２Ｃを備えるようにすれば、接合部１１Ｃ，１２Ｃを組み合わせて接合し、結合した部分に指を引掛けて容易に引っ張ることができる。
【００２８】
（第１の実施の形態の変形例）
図３は第１の実施の形態の変形例を表すものである。この変形例は、第１の実施の形態で説明した構成に加え、帯状シート部材よりなり、指Ｍ１の長さ方向に伸長され、かつ、各伸長部材１１，１２と指Ｍ１の間に挿入される複数の内側部材１４，１５を備えている。各伸長部材１１，１２を指Ｍ１の先端方向に引っ張る際に、すべりを良くして引っ張りやすくするためである。なお、本変形例では、伸長部材１１，１２に合わせて２つの内側部材１４，１５を設ける場合について説明したが、伸長部材の数に合わせて３つ以上の内側部材を設けるようにしてもよい。
【００２９】
内側部材１４，１５は、例えば、伸長部材１１，１２と同様の構成を有していることが好ましい。内側部材１４，１５は、例えば、連結部材１３に接合されていてもよいが、連結部材１３とは別体の連結内側部材１６により連結されていてもよい。連結内側部材１６は、例えば、連結部材１３と同様の構成を有していることが好ましく、連結内側部材１６の一方の端部に内側部材１４が連続して設けられ、他方の端部に内側部材１５が連続して設けられていることが好ましい。この場合、連結部材１３と連結内側部材１６とは、少なくとも一部において接合されていることが好ましい。
【００３０】
このように本変形例によれば、複数の伸長部材１１，１２と指Ｍ１との間に挿入される複数の内側部材１４，１５を備えるようにしたので、伸長部材１１，１２のすべりがよくなり、より容易に指輪Ｍ２を外すことができる。
【００３１】
（第２の実施の形態）
図４は本発明の第２の実施の形態に係る指輪外し器具２０の構成を表すものである。この指輪外し器具２０は、連結部材２３の構成が異なることを除き、他は第１の実施の形態と同一の構成を有している。よって、同一の構成要素には同一の符号を付し、対応する構成要素には十の位を“２”に変えた符号を付して、同一部分についての説明は省略する。
【００３２】
連結部材２３は、指Ｍ１の先端部分に被せるキャップ状に形成されており、伸長部材１１，１２の一端部は連結部材２３に配設されている。連結部材２３は、例えば、プラスチックなどの合成樹脂により構成されることが好ましい。この指輪外し器具２０では、指輪Ｍ２を外す際に、連結部材２３を指Ｍ１に被せて用いることを除き、第１の実施の形態と同様に用いることができる。
【００３３】
このように本実施の形態によれば、連結部材２３を指Ｍ１の先端部分に被せるキャップ状に形成し、伸長部材１１，１２の一端部を連結部材２３に配設するようにしたので、連結部材２３を指Ｍ１に被せ、伸長部材１１，１２を指Ｍ１と指輪Ｍ２との間に挿入して、指Ｍ１の根元側に引っ張ることにより、容易に取り付けることができる。よって、簡単な構成で、簡単に用いることができる。
【００３４】
（第２の実施の形態の変形例）
図５は第２の実施の形態の変形例を表すものである。この変形例は、第２の実施の形態で説明した構成に加え、第１の実施の形態の変形例で説明した内側部材１４，１５を備えている。内側部材１４，１５の構成は上述した通りである。内側部材１４，１５は、例えば、連結部材２３に接合されていることが好ましい。本変形例においても、第１の実施の形態の変形例と同様に、伸長部材１１，１２のすべりがよくなり、より容易に指輪を外すことができる。
【００３５】
（第３の実施の形態）
図６は本発明の第３の実施の形態に係る指輪外し器具３０の構成を表すものである。この指輪外し器具３０は、固定部材３７を備え、結合部材３１Ｃの構造及び連結部材３３の形状が異なることを除き、他は第１の実施の形態と同様の構成を有している。よって、同一の構成要素には同一の符号を付し、対応する構成要素には十の位を“３”に変えた符号を付して、同一部分についての説明は省略する。
【００３６】
固定部材３７は、指Ｍ１の周方向に巻いて複数の伸長部材１１，１２を指Ｍ１に固定するものである。固定部材３７は、例えば、帯状シート部材よりなり、伸長部材１１，１２の一方に一端部が連続して設けられ、指Ｍ１の周方向に巻くことができるように伸長されている。固定部材３７は、伸長部材１１，１２と同一部材で連続して一体として形成されていることが好ましい。なお、図１では、固定部材３１を伸長部材１１に連続して設ける場合について示したが、伸長部材１２に連続して設けるようにしてもよい。固定部材３７は、例えば、プラスチックなどの合成樹脂や、強化繊維などを含む複合材料により構成されることが好ましい。
【００３７】
固定部材３７の他端部側には、例えば、図６（Ｂ）に示したように、伸長部材１１を挿入して固定部材３７を環状に形成するための複数の開口３８が設けられている。開口３８は、例えば、固定部材３７の長さ方向に沿って、所定の間隔で設けられている。指Ｍ１の太さに応じて、固定部材３７を巻く長さ、すなわち形成する環の大きさを変えることができるようにするためである。なお、固定部材３７の巻く長さを調整する方法としては、開口３８に変えて、固定部材３７の一面に粘着剤を設け、接着して留めるようにしてもよい。
【００３８】
結合部材３１Ｃは、例えば、留め具又は結束部材により構成されており、各伸長部材１１，１２の他端部を指Ｍ１と指輪Ｍ２との間に挿入し、指輪Ｍ２の外側に折り返したのち、各伸長部材１１，１２の他端部側を結合部材３１Ｃにより結合するように構成されている。連結部材３３は、例えば、伸長部材１１，１２よりも幅を広くするように形成されている。指Ｍ１の先端部を当てやすくするためである。
【００３９】
この指輪外し器具３０では、例えば、指Ｍ１の大きさに合わせて固定部材３７を巻いて環状とし、開口３８に伸長部材１１を貫通させて固定し、固定部材３７の環の内側に伸長部材１２を挿入する。次に、伸長部材１１，１２及び連結部材３３で指Ｍ１の先端部分を覆うように、環状にした固定部材３７を指Ｍ１に嵌め、第１の実施の形態と同様にして、伸長部材１１，１２の他端部を指Ｍ１と指輪Ｍ２との間に挿入し、指Ｍ１の根元側に引っ張る。続いて、伸長部材１１，１２の他端部側を指輪Ｍ２の外側に折り返して、結合部材３１Ｃで結合し、指Ｍ１の先端方向に引っ張る。これにより、第１の実施の形態と同様にして、指輪Ｍ２が指Ｍ１から引き抜かれる。
【００４０】
このように本実施の形態によれば、指Ｍ１の周方向に巻いて複数の伸長部材１１，１２を指Ｍ１に固定する固定部材３７を備えるようにしたので、伸長部材１１，１２を指Ｍ１に固定することができ、指Ｍ１への取り付け、及び、指輪Ｍ２の取り外しを容易に行うことができる。
【００４１】
（第３の実施の形態の変形例１）
図７は第３の実施の形態の変形例を表すものである。第３の実施の形態では、２つの伸長部材１１，１２を備える場合について説明したが、図７（Ａ）は３つの伸長部材１１，１２，３１を備える場合であり、図７（Ｂ）は４つの伸長部材１１，１２，３１，３２を備える場合を示している。伸長部材１１，１２，３１、又は、伸長部材１１，１２，３１，３２は、互いに等間隔となるように設けられている。伸長部材３１，３２の構成は、伸長部材１１，１２と同様である。なお、第３の実施の形態と同一の構成要素には同一の符号を付し、対応する構成要素には十の位を“３”に変えた符号を付して示している。このように構成しても、同様の効果を得ることができる。
【００４２】
（第３の実施の形態の変形例２）
第３の実施の形態及びその変形例１で説明した構成に加えて、第１の実施の形態の変形例で説明した内側部材１４，１５を備えるようにしてもよい。内側部材１４，１５は、上述したように、例えば、連結部材３３に接合されていてもよいが、連結部材３３とは別体の連結内側部材１６により連結されていてもよい。
【００４３】
（第３の実施の形態の変形例３）
第３の実施の形態では、固定部材３７を伸長部材１１，１２の一方に連続して設ける場合について説明したが、伸長部材１１，１２とは別体で設けるようにしてもよい。例えば、固定部材を帯状シート部材により伸長部材１１，１２とは別体に構成し、指Ｍ１の太さに合わせて環状にし、伸長部材１１，１２の上から指Ｍ１に嵌めるようにしてもよい。また、固定部材はあらかじめ環状とされていてもよい。
【００４４】
以上、各実施の形態及び各変形例を挙げて本発明を説明したが、本発明は上記各実施の形態及び各変形例に限定されるものではなく、種々変形可能である。例えば、上記各実施の形態及び各変形例では、伸長部材及び固定部材を帯状シート部材により構成する場合について説明したが、伸長部材又は固定部材はワイヤー線やテグス等の線状部材により構成するようにしてもよい。例えば、第１の実施の形態及びその変形例、又は、第３の実施の形態及びその変形例のように構成する場合には、連結部材も伸長部材と同様の材料、すなわちワイヤー線やテグス等の線状部材により構成するようにしてもよい。
【００４５】
また、上記各実施の形態及び各変形例では、各構成要素について具体的に説明したが、全ての構成要素を備えている必要はなく、また、他の構成要素を備えていてもよい。
【産業上の利用可能性】
【００４６】
指に嵌めた指輪を外す際に用いることができる。
【符号の説明】
【００４７】
１０，２０，３０…指輪外し器具、１１，１２，３１，３２…伸長部材、１１Ａ，１２Ａ，３１Ａ，３２Ａ…傾斜部、１１Ｂ，１２Ｂ…挿入部、１１Ｃ，１１Ｃ，３１Ｃ…結合部、１３，２３，３３…連結部材、１４，１５…内側部材、１６…連結内側部材、３７…固定部材、３８…開口、Ｍ１…指、Ｍ２…指輪
【図１】
2020062115.tif 000003
【図２】
2020062115.tif 000004
【図３】
2020062115.tif 000005
【図４】
2020062115.tif 000006
【図５】
2020062115.tif 000007
【図６】
2020062115.tif 000008
【図７】
2020062115.tif 000009
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
指に嵌めた指輪を外すための指輪外し器具であって、
線状部材または帯状シート部材よりなり、前記指の長さ方向に伸長され、かつ、前記指の周方向に間隔を開けて配置される複数の伸長部材と、
前記指の先端部分に配置され、前記複数の伸長部材を一端部において連結する連結部材と、
前記複数の伸長部材の他端部側を結合する結合部とを備え、
前記複数の伸長部材の他端部を前記指の先端側から前記指と前記指輪との間に挿入し、前記複数の伸長部材の他端部を前記指輪の外側に折り返して、前記指の先端方向に引っ張ることにより前記指輪を引き抜く
ことを特徴とする指輪外し器具。
【請求項２】
前記連結部材は、前記複数の伸長部材と同一部材で連続して形成されたことを特徴とする請求項１記載の指輪外し器具。
【請求項３】
前記連結部材は、前記指の先端部分に被せるキャップ状に形成されており、前記複数の伸長部材の一端部が配設されたことを特徴とする請求項１記載の指輪外し器具。
【請求項４】
前記複数の伸長部材の他端部側には、先端に向かい幅が狭くなるように傾斜された傾斜部が形成されたことを特徴とする請求項１から請求項３のいずれか１に記載の指輪外し器具。
【請求項５】
前記指の周方向に巻いて前記複数の伸長部材を前記指に固定する固定部材を備えたことを特徴とする請求項１から請求項４のいずれか１に記載の指輪外し器具。
【請求項６】
帯状シート部材よりなり、前記指の長さ方向に伸長され、かつ、前記複数の伸長部材と前記指との間に挿入される複数の内側部材を備えたことを特徴とする請求項１から請求項５のいずれか１に記載の指輪外し器具。